【事件の表示】
　特願２０００−１１０４５７「コリメータ装置およびそれを用いたイメージング・システム」拒絶査定不服審判事件〔平成１２年１１月２８日出願公開、特開２０００−３２５３３２〕について、次のとおり審決する。
【結　論】
　本件審判の請求は、成り立たない。
【理　由】
第１　手続の経緯 
　本願は、平成１２年４月１２日（パリ条約による優先権主張外国庁受理１９９９年４月１２日、米国（ＵＳ））を出願日とする出願であって、平成２２年７月５日付けで拒絶理由が通知され、平成２３年１月１３日付けで意見書が提出されたが、同年６月１５日付けで拒絶査定がなされ、これに対し、同年１０月１２日に拒絶査定不服審判の請求がなされるとともに、同日付けにて手続補正（以下、「本件補正」という。）がなされたものである。
　さらに、平成２４年３月２８日付けで審尋がなされ、回答書が同年９月１１日付けで請求人より提出されたものである。
　
第２　本件補正についての補正の却下の決定　 
［補正の却下の決定の結論］　 
　本件補正を却下する。　 
　　 
［理由］　 
１　補正後の本願発明　 
　本件補正により、補正前の特許請求の範囲の請求項１は、
「【請求項１】点放射線源と、
　検出器素子のアレイを有する少なくとも一つの検出器パネルと、
　前記点状放射線源と前記検出器パネルとの間の位置に配置された、放射線吸収材料を含むコリメータと、を備えるイメージング・システムであって、
　前記コリメータは、さらに、
　前面および背面を有する前記放射線吸収材料からなる一体のブロックと、
　前記ブロック内に、このブロックを貫通するように形成された複数のチャネルであって該チャネルの各々が、一緒になって前記放射線吸収材料よりなる一つのウェブを構成する複数のチャネル壁により分離され且つ規定されており、前記ウェブが、前記スラブ内に前記複数のチャネルが形成された後に残されるスラブ材料の部分であるところの複数のチャネルとを有し、
　前記複数のチャネルの各々が１本の長軸を有し、前記複数のチャネルのこれらの長軸は前記点放射線源の位置で交差しており、前記複数のチャネルの各々を形成する前記壁が前記点放射線源の位置に向かって収束している
　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記第１のコリメータ部分に隣接し、前記放射線吸収材料からなる複数の第２のプレート・セットを備える第２のコリメータ部分であって、前記複数の第２のプレート・セットは前記セット内のプレート間に一つの通路を規定し、該第２のコリメータ部分の前記通路は、前記第１のコリメータ部分の前記通路と直交する向きにあり、かつ該第２のコリメータ部分の前記通路の各々は、前記点放射線源および検出器素子の前記アレイのあらかじめ定めた列により規定される平面内に位置する１本の通路長軸を有している第２のコリメータ部分と、
　を備え、
　前記第１と第２のコリメータ部分が、互いに固定の関係となるように、且つ、前記点放射線源と前記検出器素子アレイとの間の直接経路に沿って配置されたそれぞれの長軸を有する複数のチャネルをもたらすよう、互いに向かい合って配置され、さらに、前記複数のチャネル壁は前記点放射線源に収束するようにテーパが付けられていることを特徴とするイメージング・システム。」
から
「【請求項１】
３２０ｋｅＶ以上のＸ線エネルギーを照射する
　検出器素子のアレイを有する少なくとも一つの検出器パネルと、
　前記点状放射線源と前記検出器パネルとの間の位置に配置された、放射線吸収材料を含むコリメータと、を備えるイメージング・システムであって、
　前記コリメータは、さらに、
　前面および背面を有する前記放射線吸収材料からなる一体のブロックと、
　前記ブロック内に、このブロックを貫通するように形成された複数のチャネルであって該チャネルの各々が、一緒になって前記放射線吸収材料よりなる一つのウェブを構成する複数のチャネル壁により分離され且つ規定されており、前記ウェブが、前記
ブロック
前記放射線吸収
　前記複数のチャネルの各々が１本の長軸を有し、前記複数のチャネルのこれらの長軸は前記点放射線源の位置で交差しており、前記複数のチャネルの各々を形成する前記壁が前記点放射線源の位置に向かって収束している
　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記第１のコリメータ部分に隣接し、前記放射線吸収材料からなる複数の第２のプレート・セットを備える
第２のコリメータ部分であって、
　を備え、
　
前記第１と第２のコリメータ部分が、互いに固定の関係となるように
且つ、前記点放射線源と前記検出器素子アレイとの間の直接経路に沿って配置されたそれぞれの長軸を有する複数のチャネルをもたらすよう、互いに向かい合って配置され、
と補正された。（下線は補正箇所を示す。）　 
　
　本件補正は、請求項１に係る発明を特定するために必要な事項である「点放射線源」を「
３２０ｋｅＶ以上のＸ線エネルギーを照射する
Ｘ線エネルギーを
ブロック
前記放射線吸収
　したがって、本件補正は，平成１８年法律第５５号改正附則第３条第１項によりなお従前の例によるとされる同法による改正前（以下，「平成１８年法改正前」という。）の特許法第１７条の２第４項第２号の特許請求の範囲の減縮を目的とするものに該当する。
　そこで、本件補正後の前記請求項１に係る発明（以下「補正発明」という。）が、特許出願の際独立して特許を受けることができるものであるか（平成１８年法改正前の特許法第１７条の２第５項において準用する同法第１２６条第５項の規定に適合するか）について以下に検討する。
　
２　引用刊行物およびその記載事項（下線は当審で付与した。）
（１）本願優先日前に頒布され、原査定の拒絶の理由に引用された刊行物である特公平２−２３１７５号公報（以下「刊行物１」という。）には、「走査型グリッド装置」について、図面とともに次の事項が記載されている。
（１−ア）　「８  
放射Ｘ線が対象体及び走査型グリツド装置を通り、その後Ｘ線感応性像受信器に到達する際に、焦点を定義するＸ線源から発した放射Ｘ線の高い一次Ｘ線透過性及び低い二次Ｘ線透過性を示し得る走査型グリツド装置において
所定の間隔の回動点で回動可能に取付けられた複数の放射線不透過性グリツド小板であつて
各々の前記小板を前記焦点に焦点合せするように選択されたものである複数の放射線不透過性グリツド小板と、からなる第１の走査型グリツド
所定の間隔に回動可能に取付けられた複数の放射線不透過性グリツド小板とを具備する第２の走査型グリツド
前記第３及び第４の対は前記第１及び第２の対と直角に配列しており
前記第２の走査型グリツドのグリツド小板は前記スペーシング手段により前記焦点に対する焦点合せを維持しており、前記第２の走査グリツドの前記グリツド小板は前記第３及び第４の対の保持具の長手方向への運動中に前記焦点への焦点合せが維持される
走査型グリツド装置
　
（１−イ）　「 本発明は、Ｘ線写真に使用されるブツキー（Bucky）型グリツドに関し、特に、高い一次放射透過および低い二次又は散乱放射透過を示す改良された走査型グリツド装置に関する。」（第３頁第５欄１０行〜１３行）
　
（１−ウ）　「 二次散乱吸収を最大とするように設計された他の実施態様では、上述の型の走査型グリツド１０に加えて、第８図に示すように、第２の走査型グリツド１０ａが走査型グリツド１０に関し直角に配列されており、第２の走査型グリツド１０ａのグリツド小板２８は一般に走査型グリツド装１０のグリツド小板２８に一般に直角に配列されている。この実施態様では、図のように、走査型グリツド１０および１０ａのそれぞれはＸ線源の焦点２６に結合されており、上述のように直角の走査運動を行なうように適合されている。」（第８頁第１６欄２６行〜３６行）
　
　上記（１−ア）〜（１−ウ）の記載と図１〜８を参照すると、上記刊行物１には、 次の発明が記載されていると認められる。
「 放射Ｘ線が対象体及び走査型グリツド装置を通り、その後Ｘ線感応性像受信器に到達する際に、焦点を定義するＸ線源から発した放射Ｘ線の高い一次Ｘ線透過性及び低い二次Ｘ線透過性を示し得る走査型グリツド装置において、
所定の間隔の回動点で回動可能に取付けられた複数の放射線不透過性グリツド小板であつて、各々の前記小板を前記焦点に焦点合せするものである複数の放射線不透過性グリツド小板と、からなる第１の走査型グリツドと、
所定の間隔に回動可能に取付けられた複数の放射線不透過性グリツド小板とを具備する第２の走査型グリツド、を具備し、
前記第２の走査型グリツドは前記第１の走査型グリツドと直角に配列しており、
前記第２の走査型グリツドのグリツド小板は前記焦点に対する焦点合せを維持している
走査型グリツド装置。」（以下、「引用発明」という。）
　
３　対比・判断 
　補正発明は、「・・・コリメータと、を備えるイメージング・システムであって、前記コリメータは、さらに、」のあとで、
「　前面および背面を有する前記放射線吸収材料からなる一体のブロックと、
　前記ブロック内に、このブロックを貫通するように形成された複数のチャネルであって該チャネルの各々が、一緒になって前記放射線吸収材料よりなる一つのウェブを構成する複数のチャネル壁により分離され且つ規定されており、前記ウェブが、前記ブロック内に前記複数のチャネルが形成された後に残される前記放射線吸収材料の部分であるところの複数のチャネルとを有し、
　前記複数のチャネルの各々が１本の長軸を有し、前記複数のチャネルのこれらの長軸は前記点放射線源の位置で交差しており、前記複数のチャネルの各々を形成する前記壁が前記点放射線源の位置に向かって収束している 」「さらに、前記複数のチャネル壁は前記点放射線源に収束するようにテーパが付けられている」もの（以下「前者」という。）と、
「　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記第１のコリメータ部分に隣接し、前記放射線吸収材料からなる複数の第２のプレート・セットを備える第２のコリメータ部分であって、前記複数の第２のプレート・セットは前記セット内のプレート間に一つの通路を規定し、該第２のコリメータ部分の前記通路は、前記第１のコリメータ部分の前記通路と直交する向きにあり、かつ該第２のコリメータ部分の前記通路の各々は、前記点放射線源および検出器素子の前記アレイのあらかじめ定めた列により規定される平面内に位置する１本の通路長軸を有している第２のコリメータ部分と、
　を備え、
　前記第１と第２のコリメータ部分が、互いに固定の関係となるように、且つ、前記点放射線源と前記検出器素子アレイとの間の直接経路に沿って配置されたそれぞれの長軸を有する複数のチャネルをもたらすよう、互いに向かい合って配置され」ているもの（以下「後者」という。）が並列的に記載されていることは、前者と後者が別々の実施例に対応しており、前者と後者を共に備える実施例が存在しないこと、前者と後者を共に備えるものの技術的意味は記載されてなく、常識的には不明であることから明らかである。
　そこで、補正発明のうちで後者を備えた
「Ｘ線エネルギーを照射する点放射線源と、
　検出器素子のアレイを有する少なくとも一つの検出器パネルと、
　前記点状放射線源と前記検出器パネルとの間の位置に配置された、放射線吸収材料を含むコリメータと、を備えるイメージング・システムであって、
　前記コリメータは、さらに、
　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記第１のコリメータ部分に隣接し、前記放射線吸収材料からなる複数の第２のプレート・セットを備える第２のコリメータ部分であって、前記複数の第２のプレート・セットは前記セット内のプレート間に一つの通路を規定し、該第２のコリメータ部分の前記通路は、前記第１のコリメータ部分の前記通路と直交する向きにあり、かつ該第２のコリメータ部分の前記通路の各々は、前記点放射線源および検出器素子の前記アレイのあらかじめ定めた列により規定される平面内に位置する１本の通路長軸を有している第２のコリメータ部分と、
　を備え、
　前記第１と第２のコリメータ部分が、互いに固定の関係となるように、且つ、前記点放射線源と前記検出器素子アレイとの間の直接経路に沿って配置されたそれぞれの長軸を有する複数のチャネルをもたらすよう、互いに向かい合って配置されているイメージング・システム。」について以後検討する。
　
　補正発明と引用発明とを対比する。
ア　引用発明の「Ｘ線感応性像受信器」、「Ｘ線源」、「グリツド小板」、および「グリッド」が、補正発明の「検出器パネル」、「点放射線源」、「プレート」、および「コリメータ」に相当することは、その構造・機能からみて明らかである。
　
イ　引用発明の「第１の走査型グリツド」は、「所定の間隔の回動点で回動可能に取付けられた複数の放射線不透過性グリツド小板であつて、各々の前記小板を前記焦点に焦点合せするものである複数の放射線不透過性グリツド小板と、からなる」ものであり、「前記焦点」が「Ｘ線源」であり、隣り合う放射線不透過性グリツド小板の間をＸ線が通るのであり、「各々の前記小板を前記焦点に焦点合せする」と「各々の前記小板」を仮想の直線（長軸）が通るのであるから、引用発明の「第１の走査型グリツド」は、補正発明の「前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分」に相当することは明らかである。
　また、引用発明の「第２の走査型グリツド」は、「所定の間隔に回動可能に取付けられた複数の放射線不透過性グリツド小板とを具備」し、「グリツド小板は前記焦点に対する焦点合せを維持している」のであるから、「第１の走査型グリツド」と同様の構成である。
　したがって、引用発明の「第２の走査型グリツド」は、補正発明の「前記放射線吸収材料からなる複数の第２のプレート・セットを備える第２のコリメータ部分であって、前記複数の第２のプレート・セットは前記セット内のプレート間に一つの通路を規定し、」「かつ該第２のコリメータ部分の前記通路の各々は、前記点放射線源および検出器素子の前記アレイのあらかじめ定めた列により規定される平面内に位置する１本の通路長軸を有している第２のコリメータ部分」に相当することは明らかである。
　
ウ　引用発明の「第２の走査型グリツドは前記第１の走査型グリツドと直角に配列しており」と、補正発明の「前記第１のコリメータ部分に隣接」する、「第２のコリメータ部分であって」、「該第２のコリメータ部分の前記通路は、前記第１のコリメータ部分の前記通路と直交する向きにあり、」「前記第１と第２のコリメータ部分が、互いに固定の関係となるように、且つ、前記点放射線源と前記検出器素子アレイとの間の直接経路に沿って配置されたそれぞれの長軸を有する複数のチャネルをもたらすよう、互いに向かい合って配置され」とは、「前記第１のコリメータ部分に隣接」する、「第２のコリメータ部分であって」、「該第２のコリメータ部分の前記通路は、前記第１のコリメータ部分の前記通路と直交する向きにあり、」「前記第１と第２のコリメータ部分が、前記点放射線源と前記検出器素子アレイとの間の直接経路に沿って配置されたそれぞれの長軸を有する複数のチャネルをもたらすよう、互いに向かい合って配置され」の点で共通する。
　
エ　引用発明は「走査型グリッド装置」の発明であるが「放射Ｘ線が対象体及び走査型グリツド装置を通り、その後Ｘ線感応性像受信器に到達する際に、焦点を定義するＸ線源から発した放射Ｘ線の高い一次Ｘ線透過性及び低い二次Ｘ線透過性を示し得る」ものと特定しているのであるから、引用発明は、Ｘ線源とＸ線感応性像受信器とを共に備えているものといえるので、補正発明の「イメージング・システム」に対応している。
　そして、引用発明の「放射Ｘ線が対象体及び走査型グリツド装置を通り、その後Ｘ線感応性像受信器に到達する際に、焦点を定義するＸ線源から発した放射Ｘ線の高い一次Ｘ線透過性及び低い二次Ｘ線透過性を示し得る走査型グリツド装置」と、
補正発明の「３２０ｋｅＶ以上のＸ線エネルギーを照射する点放射線源と、
　検出器素子のアレイを有する少なくとも一つの検出器パネルと、
　前記点状放射線源と前記検出器パネルとの間の位置に配置された、放射線吸収材料を含むコリメータと、を備えるイメージング・システム」とは、
「Ｘ線エネルギーを照射する点放射線源と、
　Ｘ線像検出板と、
　前記点状放射線源と前記Ｘ線像検出板との間の位置に配置された、放射線吸収材料を含むコリメータと、を備えるイメージング・システム」の点で共通する。
　
　そうすると、両者は、　 
（一致点）  
　「Ｘ線エネルギーを照射する点放射線源と、
　少なくとも一つのＸ線像検出板と、
　前記点状放射線源と前記Ｘ線像検出板との間の位置に配置された、放射線吸収材料を含むコリメータと、を備えるイメージング・システムであって、
　前記コリメータは、さらに、
　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記放射線吸収材料からなる複数の第２のプレート・セットを備える第２のコリメータ部分であって、前記複数の第２のプレート・セットは前記セット内のプレート間に一つの通路を規定し、かつ該第２のコリメータ部分の前記通路の各々は、前記点放射線源および検出器素子の前記アレイのあらかじめ定めた列により規定される平面内に位置する１本の通路長軸を有している第２のコリメータ部分と、
　を備え、
　前記第１と第２のコリメータ部分が、前記点放射線源と前記検出器素子アレイとの間の直接経路に沿って配置されたそれぞれの長軸を有する複数のチャネルをもたらすよう、互いに向かい合って配置されているイメージング・システム。」である点で一致し、以下の点で相違するといえる。　
　
（相違点１）　
　点放射線源の照射するＸ線エネルギーについて、補正発明では、「３２０ｋｅＶ以上」であるのに対して、引用発明では、特に特定していない点。
　
（相違点２）　
　Ｘ線像検出板と、コリメータについて、補正発明では、「検出器素子のアレイを有する検出器パネル」と、「第１と第２のコリメータ部分が、互いに固定の関係とな」るものであるのに対して、引用発明では、「Ｘ線感応性像受信器」と、第１のグリッドも第２のグリッドも走査型のものである点。
　
（１）相違点１についての検討
　例えば本願優先日前に頒布された特開平６−１９４４５１号公報に「【０１０３】本発明の実際の適用例
最後に、本発明のＸ線検査装置の実際の適用例について説明する。・・・【０１１４】
Ｘ線の最大エネルギー        検出素子の配列ピッチ
３ＭｅＶ以上          ２．６ｍｍ＜Ｐ＜１６ｍｍ
１〜３ＭｅＶ              １ｍｍ＜Ｐ＜１６ｍｍ
１ＭｅＶ以下          ０．４ｍｍ＜Ｐ＜１０ｍｍ
・・・１ＭｅＶ以下のエネルギーではＸ線のエネルギー３００ｋｅＶの値を使用した。」と記載されているように、Ｘ線のエネルギーは当業者が適宜設計して使い分けているものであるから、点放射線源の照射するＸ線エネルギーとして「３２０ｋｅＶ以上」とすること、すなわち相違点１に記載の補正発明の構成とすることは、当業者が適宜成し得る設計事項にすぎない。
　
（２）相違点２についての検討
　Ｘ線像検出板と、コリメータについて、「検出器素子のアレイを有する検出器パネル」と、「第１と第２のコリメータ部分が、互いに固定の関係とな」るものは、例えば、本願優先日前に頒布され、原査定の拒絶の理由に引用された米国特許第５２３１６５４号明細書に記載されているように、周知の技術的事項である。
　してみると、引用発明において、周知の技術的事項を適用して、相違点２に記載の補正発明の構成とすることは、当業者が容易に想到するものといえる。
　
（３）そして、補正発明の作用効果は、引用発明、および周知の技術的事項から当業者が予測し得る範囲内のものにすぎない。
　
（４）したがって、補正発明は、引用発明、および周知の技術的事項に基づいて当業者が容易に発明をすることができたものであるというべきであり、特許法第２９条第２項の規定により、特許出願の際独立して特許を受けることができないものである。
　　 
４　まとめ　 
　以上のとおりであるから、本件補正は、平成１８年法改正前の特許法第１７条の２第５項において準用する同法第１２６条第５項の規定に違反するので、同法第１５９条第１項の規定において読み替えて準用する同法第５３条第１項の規定により、却下すべきものである。　
　
第３　本願発明について　 
１　本願発明　 
　本件補正は、上記のとおり却下されることとなるので、本願の請求項１〜１１に係る発明は、平成２２年１月１２日付け手続補正書により補正された明細書の特許請求の範囲の請求項１〜１１に記載された事項により特定されたものであって、その請求項１に係る発明は、次のとおりであると認める。　 
「【請求項１】点放射線源と、
　検出器素子のアレイを有する少なくとも一つの検出器パネルと、
　前記点状放射線源と前記検出器パネルとの間の位置に配置された、放射線吸収材料を含むコリメータと、を備えるイメージング・システムであって、
　前記コリメータは、さらに、
　前面および背面を有する前記放射線吸収材料からなる一体のブロックと、
　前記ブロック内に、このブロックを貫通するように形成された複数のチャネルであって該チャネルの各々が、一緒になって前記放射線吸収材料よりなる一つのウェブを構成する複数のチャネル壁により分離され且つ規定されており、前記ウェブが、前記スラブ内に前記複数のチャネルが形成された後に残されるスラブ材料の部分であるところの複数のチャネルとを有し、
　前記複数のチャネルの各々が１本の長軸を有し、前記複数のチャネルのこれらの長軸は前記点放射線源の位置で交差しており、前記複数のチャネルの各々を形成する前記壁が前記点放射線源の位置に向かって収束している
　前記放射線吸収材料からなる複数の第１のプレート・セットより作られた第１のコリメータ部分であって、前記複数の第１のプレート・セットの各々は前記セット内のプレート間に一つの通路を規定するように配置され、かつ前記通路の各々がそれぞれ、前記点放射線源および検出器素子の前記アレイのあらかじめ定めた行により規定される平面内に位置する１本のプレート長軸を有するように構成された、第１のコリメータ部分と、
　前記第１のコリメータ部分に隣接し、前記放射線吸収材料からなる複数の第２のプレート・セットを備える第２のコリメータ部分であって、前記複数の第２のプレート・セットは前記セット内のプレート間に一つの通路を規定し、該第２のコリメータ部分の前記通路は、前記第１のコリメータ部分の前記通路と直交する向きにあり、かつ該第２のコリメータ部分の前記通路の各々は、前記点放射線源および検出器素子の前記アレイのあらかじめ定めた列により規定される平面内に位置する１本の通路長軸を有している第２のコリメータ部分と、
　を備え、
　前記第１と第２のコリメータ部分が、互いに固定の関係となるように、且つ、前記点放射線源と前記検出器素子アレイとの間の直接経路に沿って配置されたそれぞれの長軸を有する複数のチャネルをもたらすよう、互いに向かい合って配置され、さらに、前記複数のチャネル壁は前記点放射線源に収束するようにテーパが付けられていることを特徴とするイメージング・システム。」（以下、「本願発明」という。）
　
２　引用刊行物およびその記載事項　 
　本願出願前に頒布された刊行物１およびその記載事項は、上記「第２　２」に記載したとおりである。　 
　
３　当審の判断　 
　本願発明は、補正発明の「
３２０ｋｅＶ以上のＸ線エネルギーを照射する
  補正発明の「前記
ブロック
  補正発明の「残される
前記放射線吸収
　そうすると、本願発明の構成要件を全て含む補正発明が、上記「第２　３」において検討したとおり、引用発明、および周知の技術的事項に基づいて、当業者が容易に発明をすることができたものであるから、本願発明も、同様の理由により、引用発明、および周知の技術的事項に基づいて当業者が容易に発明をすることができたものであるというべきである。
　
第４　まとめ　 
　以上のとおり、本願発明は、特許法第２９条第２項の規定により特許を受けることができないから、その他の請求項について言及するまでもなく、本願出願は拒絶されるべきものである。　 
　よって、結論のとおり審決する。